Podtech/llm-jp-corpus-v4-ja_patent huggingface dataset:
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
組成物であって、
Ｚ−ＨＦＯ−１３３６ｍｚｚと、
ＨＦＯ−１２４３ｚｆ、ＨＣＣ−４０、ＨＣＦＯ−１２２３、ＣＦＣ−１１３ａ、ＣＦＣ−１１３、ＣＦＣ−１１、ＨＦＯ−１４２９、ＨＦＣ−４４９、ＨＦＣ−３６５、ＨＦＯ−１３２７、ＨＦＯ−１１３２、ＨＣＦＣ−１２３ａ、クロロブタン、エチルベンゼン、ｏ−キシレン、ｍ−キシレン、ｐ−キシレン、ＨＣＦＯ−１３３４、及びＨＣＦＯ−１３３３からなる群から選択される少なくとも１つの付加化合物と、を含む組成物。
【請求項２】
ＨＦＣ−３５６、ＨＣＦＣ−１２３、ＨＣＦＣ−１３３ａ、ＨＦＣ−１４３ａ、ＨＣＦＯ−１１２２、ＨＣＦＯ−１１２２ａ、ＣＦＯ−１３１６、ＨＣＦＯ−１３３５、ＨＦＯ−１３４５、及びＨＣＦＯ−１３２６からなる群から選択される少なくとも１つのトレーサー化合物を更に含む、請求項１に記載の組成物。
【請求項３】
請求項１又は２に記載の組成物であって、次からなる群から選択される少なくとも１つの組成物を含む、組成物：
Ｚ−ＨＦＯ−１３３６ｍｚｚ、ＨＦＯ−１４２９、及びＨＣＦＯ−１３３５、
Ｚ−ＨＦＯ−１３３６ｍｚｚ、ＨＦＯ−１４２９、及びＨＦＯ−１３４５、
Ｚ−ＨＦＯ−１３３６ｍｚｚ、ＨＦＯ−１４２９、及びＨＣＦＣ−１２３、
Ｚ−ＨＦＯ−１３３６ｍｚｚ、ＨＦＯ−１４２９、及びＣＦＣ−１１、
Ｚ−ＨＦＯ−１３３６ｍｚｚ、ＨＦＯ−１４２９、ＨＣＦＯ−１３３５、及びＨＦＯ−１３４５、
Ｚ−ＨＦＯ−１３３６ｍｚｚ、ＨＦＯ−１４２９、ＨＣＦＯ−１３３５、及びＨＣＦＣ−１２３、
Ｚ−ＨＦＯ−１３３６ｍｚｚ、ＨＦＯ−１４２９、ＨＣＦＯ−１３３５、及びＣＦＣ−１１、
Ｚ−ＨＦＯ−１３３６ｍｚｚ、ＨＦＯ−１４２９、ＨＦＯ−１３４５、及びＨＣＦＣ−１２３、
Ｚ−ＨＦＯ−１３３６ｍｚｚ、ＨＦＯ−１４２９、ＨＦＯ−１３４５、及びＣＦＣ−１１、
Ｚ−ＨＦＯ−１３３６ｍｚｚ、ＨＦＯ−１４２９、ＨＣＦＯ−１３３５、ＨＦＯ−１３４５、及びＨＣＦＣ−１２３、
Ｚ−ＨＦＯ−１３３６ｍｚｚ、ＨＣＦＯ−１３３５、及びＨＦＯ−１３４５、
Ｚ−ＨＦＯ−１３３６ｍｚｚ、ＨＣＦＯ−１３３５、及びＨＣＦＣ−１２３、
Ｚ−ＨＦＯ−１３３６ｍｚｚ、ＨＣＦＯ−１３３５、及びＣＦＣ−１１、
Ｚ−ＨＦＯ−１３３６ｍｚｚ、ＨＣＦＯ−１３３５、及びＨＣＦＯ−１３３４、
Ｚ−ＨＦＯ−１３３６ｍｚｚ、ＨＣＦＯ−１３３５、ＨＦＯ−１３４５、及びＨＣＦＣ−１２３、
Ｚ−ＨＦＯ−１３３６ｍｚｚ、ＨＦＯ−１３４５、及びＨＣＦＣ−１２３、
Ｚ−ＨＦＯ−１３３６ｍｚｚ、ＨＦＯ−１３４５、及びＣＦＣ−１１、
Ｚ−ＨＦＯ−１３３６ｍｚｚ、ＨＦＣ−３６５、及びＨＣＦＯ−１３２６、
Ｚ−ＨＦＯ−１３３６ｍｚｚ、ＨＦＣ−３６５、及びＣＦＣ−１１、
Ｚ−ＨＦＯ−１３３６ｍｚｚ、ＨＦＯ−１２４３ｚｆ、及びＨＣＦＯ−１１２２、
Ｚ−ＨＦＯ−１３３６ｍｚｚ、ＨＦＯ−１２４３ｚｆ、及びＨＣＣ−４０、
Ｚ−ＨＦＯ−１３３６ｍｚｚ、ＨＣＦＯ−１１２２、及びＨＣＣ−４０、
Ｚ−ＨＦＯ−１３３６ｍｚｚ、ＨＦＯ−１２４３ｚｆ、ＨＣＦＯ−１１２２、及びＨＣＣ−４０、
Ｚ−ＨＦＯ−１３３６ｍｚｚ、ＣＦＣ−１１３ａ、及びＨＦＣ−３６５、並びに
Ｚ−ＨＦＯ−１３３６ｍｚｚ、ＣＦＣ−１１３ａ、及びＣＦＣ−１１。
【請求項４】
冷却するための方法であって、請求項１〜３のいずれか一項に記載の組成物を、冷却対象物の近傍において蒸発させる工程と、その後、前記組成物を凝縮させる工程と、を含む、方法。
【請求項５】
加熱するための方法であって、請求項１〜３のいずれか一項に記載の組成物を、加熱対象物の近傍において凝縮させる工程と、その後、前記組成物を蒸発させる工程と、を含む、方法。
【請求項６】
泡を形成する方法であって、（ａ）発泡性組成物に、請求項１〜３のいずれか一項に記載の組成物を加える工程と、（ｂ）泡の形成に有効な条件下にて前記発泡性組成物を処理する工程と、を含む、方法。
【請求項７】
エアロゾル容器内に有効成分を含む、エアロゾル生成物を生成するためのプロセスであって、請求項１〜３のいずれか一項に記載の組成物を組成に加える工程を含み、前記組成物が推進剤として機能するプロセス。
【請求項８】
熱を機械エネルギーに変換するためのプロセスであって、請求項１〜３のいずれか一項に記載の前記組成物を含む作動流体を加熱する工程と、その後、前記加熱された作動流体を膨張させる工程と、を含むプロセス。
【請求項９】
容器からの漏洩を検出するための方法であって、前記容器近傍の空気をサンプリングする工程と、少なくとも１つの付加化合物又は少なくとも１つのトレーサー化合物を、漏洩を検出するための手段を用いて検出する工程と、を含む方法であって、請求項１に記載の組成物が前記容器内に含まれている、方法。
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
第１主面及び第２主面を有する基材と、
前記第１主面上に配置された感圧接着剤と、
前記第２主面上に配置されたシリコーンカーボネートポリマーを含む剥離層と、を含む物品。
【請求項２】
前記第１主面及び前記第２主面のうちの１つ以上がプライマー層を含む、請求項１に記載の物品。
【請求項３】
前記基材が非セルロース系材料を含む、請求項１に記載の物品。
【請求項４】
前記非セルロース系材料が、ポリメチルメタクリレート、エチレンビニルアセテートコポリマー、アクリレート変性エチレンビニルアセテートコポリマー、エチルアクリル酸コポリマー、ポリエチレンテレフタレート及びナイロンのうちの少なくとも１つを含む、請求項３に記載の物品。
【請求項５】
前記非セルロース系材料が、ポリエチレン、ポリプロピレン、及びポリエチレンテレフタレートのうちの１つ以上を含む、請求項４に記載の物品。
【請求項６】
前記基材がポリイミドを含む、請求項３に記載の物品。
【請求項７】
前記シリコーンカーボネートポリマーが、式（Ｉ）の構造を有する少なくとも１つのシリコーン部分を含み、
【化１】
2018508627.tif 000001
式中、各Ｒは、独立して有機部分であり、ｎは前記少なくとも１つのシリコーン部分の重合度であって、１以上である、請求項１に記載の物品。
【請求項８】
前記少なくとも１つのシリコーン部分が、ポリジメチルシロキサンを含む、請求項７に記載の物品。
【請求項９】
前記シリコーンカーボネートポリマーが、式（ＩＩ）の構造を有する少なくとも１つのカーボネート部分を含み、
【化２】
2018508627.tif 000002
式中、Ｒ’は炭化水素ジラジカル又は芳香族ジラジカルであり、ｍは前記少なくとも１つのカーボネート部分の重合度であって、１以上である、請求項１に記載の物品。
【請求項１０】
Ｒ’が、式（ＩＩＩ）〜（ＶＩ）のジラジカル
【化３】
2018508627.tif 000003
からなる群から選択され、式中、
Ｒ１は、Ｈ、Ｃ１〜Ｃ４アルキル、Ｃ１〜Ｃ４フルオロアルキル、Ｃ１〜Ｃ４ペルフルオロアルキル、又はフェニルであり、かつ
Ｒ２は、Ｈ、Ｃ１〜Ｃ４アルキル、Ｃ１〜Ｃ４フルオロアルキル、Ｃ１〜Ｃ４ペルフルオロアルキル、又はフェニルであるか、あるいは、
Ｒ１及びＲ２は、互いに共有結合して、これらが結合している炭素原子と共に、シクロヘキシル、メチルシクロヘキシル、ジメチルシクロヘキシル、又はトリメチルシクロヘキシル又はテトラメチルシクロヘキシルを形成するか、のいずれかであり、
Ｒ３は、Ｃ１〜Ｃ４アルキル、フェニル、又はＨであり、
Ｒ４は、Ｃ１〜Ｃ４アルキル、フェニル、又はＨである、請求項９に記載の物品。
【請求項１１】
Ｒ’が、式（ＶＩＩ）〜（ＸＸＩＩ）のジラジカル
【化４】
2018508627.tif 000004
【化５】
2018508627.tif 000005
【化６】
2018508627.tif 000006
【化７】
2018508627.tif 000007
からなる群から選択される、請求項１０に記載の物品。
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ａ）外周上にわたって分布する複数のタービンブレード（５）を有し、運転中に、回転軸（３）を中心に特定の回転方向に回転するするタービンホイール（４）と、
ｂ）前記タービンブレード（５）を収容し、且つ、外側でダクトウォール（７）により半径方向に区切られている、前記回転軸（３）を同軸に取り巻く環状のブレードダクト（６）と、
ｃ）前記タービンホイール（４）を駆動する目的で前記回転方向の駆動空気フローを前記タービンブレード（５）に受けさせるために半径方向外側から前記ブレードダクト（６）にひらけている少なくとも１つの駆動空気ノズル（８）と、
ｄ）外側では前記ブレードダクト（６）の前記ダクトウォール（７）により区切られ、内側では前記タービンブレード（５）により区切られており、前記ダクトウォール（７）及び前記タービンブレード（５）により通過され、前記駆動空気ノズル（８）の出口にある出口領域（９）と、
を備え、
ｅ）各前記駆動空気ノズル（８）の前記出口領域（９）は、前記駆動空気ノズル（８）を横切る最中の前記タービンブレード（５）と共に回転し、流れ方向に広がる拡大横断面領域（９）であり、
ｆ）前記ブレードダクト（６）の前記ダクトウォール（７）は、前記駆動空気ノズル（８）の前記出口領域内に、前記拡大横断面（９）を形成するための外側に弓形に曲がった凹部（１１）を有する、
ことを特徴とする、回転式噴霧器でスプレー体、特に、ベルプレートを駆動させるラジアルタービンとして設計された回転式噴霧器タービン（１）。
【請求項２】
ａ）前記回転式噴霧器タービン（１）は、前記タービンホイール（４）を制動する目的で前記回転方向と反対方向の制動空気フローを前記タービンブレード（５）に受けさせるために半径方向外側から前記ブレードダクト（６）にひらけている少なくとも１つの制動空気ノズル（１３）を備え、
ｂ）前記ブレードダクト（６）は、前記制動空気が半径方向に内側に向けて前記ブレードダクト（６）から出るのを防ぐ固定式フローバリア（１４）により、前記制動空気ノズル（１３）の向かいの内側で半径方向に区切られている、
請求項１に記載の回転式噴霧器タービン（１）。
【請求項３】
前記制動空気ノズル（１３）の領域にある前記フローバリア（１４）は、５°、１０°、２０°、若しくは３０°超の、及び／又は、９０°、７０°、５０°、若しくは４０°未満の角度にわたる外周角度で広がっている、
請求項２に記載の回転式噴霧器タービン（１）。
【請求項４】
前記駆動空気が前記タービンホイール（４）の開口部内の前記タービンブレード（５）を通って外側から内側に向けて半径方向に流れ得るように、前記タービンホイール（４）は少なくともその外周の一部にわたって前記半径方向に開いている、
請求項１から３のいずれか１項に記載の回転式噴霧器タービン（１）。
【請求項５】
前記駆動空気ノズル（８）の前記出口領域の前記拡大横断面領域（９）は、少なくとも２°、４°、又は６°の角度で前記流れ方向に広がる、
請求項１から４のいずれか１項に記載の回転式噴霧器タービン（１）。
【請求項６】
ａ）前記弓形に曲がった凹部（１１）は凹面形状であり、及び／又は、
ｂ）前記ブレードダクト（６）の前記ダクトウォール（７）内の前記弓形に曲がった凹部（１１）は、少なくとも１０°、２０°、３０°、又は４０°であり且つ多くとも９０°、７０°、６０°、又は５０°である角度（β）にわたって周方向に延在する、
請求項１から５のいずれか１項に記載の回転式噴霧器タービン（１）。
【請求項７】
各前記タービンブレード（５）は、当該タービンブレード（５）の外端が前記タービンホイール（４）の前記回転方向とは反対方向を向くように、半径方向に曲がっている、
請求項１から６のいずれか１項に記載の回転式噴霧器タービン（１）。
【請求項８】
各前記タービンブレード（５）は、当該タービンブレード（５）の前記外端で、その正面（１０）と、前記ブレードダクト（６）の外側円形外周とが、少なくとも２°、５°、又は１０°の特定角度（α）をなす、
請求項７に記載の回転式噴霧器タービン（１）。
【請求項９】
ａ）前記駆動空気ノズル（８）はラバルノズルである、及び／又は、
ｂ）前記タービンホイール（４）はディスクを有し、前記タービンブレード（５）は前記ディスクの一面から前記ブレードダクト（６）内に軸方向に突き入れられる、
請求項１から８のいずれか１項に記載の回転式噴霧器タービン（１）。
【請求項１０】
請求項１から９のいずれか１項に記載の回転式噴霧器タービン（１）を有する回転式噴霧器。
【手続補正２】
【補正対象書類名】明細書
【補正対象項目名】００５４
【補正方法】変更
【補正の内容】
【００５４】
［付記］
［付記１］
ａ）外周上にわたって分布する複数のタービンブレード（５）を有し、運転中に、回転軸（３）を中心に特定の回転方向に回転するするタービンホイール（４）と、
ｂ）前記タービンブレード（５）を収容し、且つ、外側でダクトウォール（７）により半径方向に区切られている、前記回転軸（３）を同軸に取り巻く環状のブレードダクト（６）と、
ｃ）前記タービンホイール（４）を制動する目的で前記回転方向と反対方向の制動空気フローを前記タービンブレード（５）に受けさせるために半径方向外側から前記ブレードダクト（６）にひらけている少なくとも１つの制動空気ノズル（１３）と、
ｄ）前記タービンホイール（４）を駆動する目的で前記回転方向の駆動空気フローを前記タービンブレード（５）に受けさせるために半径方向外側から前記ブレードダクト（６）にひらけている少なくとも１つの駆動空気ノズル（８）と、
ｅ）外側では前記ブレードダクト（６）の前記ダクトウォール（７）により区切られ、内側では前記タービンブレード（５）により区切られており、前記ダクトウォール（７）及び前記タービンブレード（５）により通過され、前記駆動空気ノズル（８）の出口にある出口領域（９）と、
を備え、
ｆ）前記ブレードダクト（６）は、前記制動空気が半径方向に内側に向けて前記ブレードダクト（６）から出るのを防ぐ固定式フローバリア（１４）により、前記制動空気ノズル（１３）の向かいの内側で半径方向に区切られており、及び／又は、
ｇ）各前記駆動空気ノズル（８）の前記出口領域（９）は、前記駆動空気ノズル（８）を横切る最中の前記タービンブレード（５）と共に回転し、流れ方向に広がる拡大横断面領域（９）である、
ことを特徴とする、回転式噴霧器でスプレー体、特に、ベルプレートを駆動させるラジアルタービンとして設計された回転式噴霧器タービン（１）。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
中心軸、第１テーパー部、第２テーパー部、少なくとも１つの吸引ポート、および前記第１テーパー部の出口端部および前記第２テーパー部の入口端部の間に位置する少なくとも１つのベンチュリ間隙を画定する本体であって、吸引ポートは、前記ベンチュリ間隙と流体連通する本体と、
通路内へ内向きに突出する単一のフィンであって、前記中心軸の方向に前記第１テーパー部の入口端部、または前記第１テーパー部内の中間位置における始点から前記第２テーパー部の出口端部または前記第２テーパー部内の中間位置における終点までの長さを有して延在する単一のフィンと、
を備え、
前記フィンは、前記ベンチュリ間隙を通り連続的であるか、または前記ベンチュリ間隙において不連続である、吸引器。
【請求項２】
前記フィンが前記ベンチュリ間隙において不連続であり、前記フィンが前記第１テーパー部の前記出口端部において第１面を画定し、かつ前記第２テーパー部の前記入口端部において第２面を画定し、前記第２面の周囲の長さが前記第１面の周囲の長さより長い、請求項１に記載の吸引器。
【請求項３】
前記フィンが前記本体と一体である、請求項１に記載の吸引器。
【請求項４】
前記フィンが前記フィンの長さに沿って可変の高さを有する、請求項１に記載の吸引器。
【請求項５】
前記フィンが前記ベンチュリ間隙の近くで最大高さを有する、請求項４に記載の吸引器。
【請求項６】
前記第１テーパー部が収束動力部分であり、かつ前記第２テーパー部が発散排出部分である、請求項１に記載の吸引器。
【請求項７】
ターボチャージャー付きエンジン空気システムであって、
真空を必要とするデバイスと、
エンジンの吸気マニホールドに流体的に接続された圧縮機を有するターボチャージャーと、
動力セクション、排出セクション、および吸引ポートを画定する吸引器であって、前記吸引器が前記動力セクションの出口端部および前記排出セクションの入口端部の間に位置するベンチュリ間隙を含み、前記ベンチュリ間隙は、前記吸引ポートと流体連通し、前記吸引器の前記排出セクションは、前記圧縮機の下流位置にて前記エンジンの前記吸気マニホールドに流体的に接続され、かつ前記吸引器の前記吸引ポートは、前記真空を必要とするデバイスに流体的に接続される、吸引器と、        
前記吸引器の前記動力セクション内に配置された単一のフィンであって、前記フィンは、前記動力セクションの長さに沿って延在し、単一のフィンは、通路内へ内向きに突出し、第１テーパー部の入口端部、または前記第１テーパー部内の中間位置における始点から第２テーパー部の出口端部または前記第２テーパー部内の中間位置における終点までの長さを有する、単一のフィンと、
を備え、
前記フィンは、前記ベンチュリ間隙を通り連続的であるか、または前記ベンチュリ間隙において不連続である、ターボチャージャー付きエンジン空気システム。
【請求項８】
前記フィンが前記吸引器の前記動力セクションと一体である、請求項７に記載のターボチャージャー付きエンジン空気システム。
【請求項９】
前記フィンの高さは、前記ベンチュリ間隙において、または前記ベンチュリ間隙近くにおける最大高さまで前記第１テーパー部を通じて徐々に増加する、請求項７に記載のターボチャージャー付きエンジン空気システム。
【請求項１０】
前記フィンは、略半楕円または半円の断面形状を有する、請求項７に記載のターボチャージャー付きエンジン空気システム。
【請求項１１】
非ブーストエンジン空気システムであって、
真空を必要とするデバイスと、
エンジンの吸気マニホールドと、
動力セクション、排出セクション、および吸引ポートを画定する吸引器であって、前記吸引器が前記動力セクションの出口端部および前記排出セクションの入口端部の間に位置するベンチュリ間隙を含み、前記ベンチュリ間隙は、前記吸引ポートと流体連通し、前記吸引器の前記排出セクションは、圧縮機の下流位置にて前記エンジンの前記吸気マニホールドに流体的に接続され、かつ前記吸引器の前記吸引ポートは、前記真空を必要とするデバイスに流体的に接続される、吸引器と、        
通路内へ内向きに突出するフィンであって、第１テーパー部の入口端部、または前記第１テーパー部内の中間位置における始点から第２テーパー部の出口端部または前記第２テーパー部内の中間位置における終点までの長さを有する、フィンと、
を備え、
前記フィンは、前記ベンチュリ間隙を通り連続的であるか、または前記ベンチュリ間隙において不連続である、非ブーストエンジン空気システム。
【請求項１２】
前記フィンが前記吸引器の前記動力セクションと一体である、請求項１１に記載の非ブーストエンジン空気システム。
【請求項１３】
前記フィンは、略半楕円または半円の断面形状を有する、請求項１１に記載の非ブーストエンジン空気システム。
【請求項１４】
前記フィンの高さは、前記ベンチュリ間隙において、または前記ベンチュリ間隙近くにおける最大高さまで前記第１テーパー部を通じて徐々に増加する、請求項１に記載の吸引器。
【請求項１５】
前記フィンの高さは、前記第２テーパー部を通じて徐々に減少する、請求項１４に記載の吸引器。
【請求項１６】
前記フィンは、略半楕円または半円の断面形状を有する、請求項１４に記載の吸引器。
【請求項１７】
前記第２テーパー部の前記入口端部は、前記ベンチュリ間隙において楕円形の第２開口部を画定する、請求項１に記載の吸引器。
【請求項１８】
前記フィンは、略半楕円または半円の断面形状を有する、請求項１に記載の吸引器。
【請求項１９】
前記第２テーパー部の前記入口端部は、楕円形の開口部を画定し、前記フィンは、略半楕円または半円の断面形状を有する、請求項６に記載の吸引器。
【請求項２０】
前記第２テーパー部における前記フィンの第２部分の断面形状は、前記第１テーパー部における前記フィンの第１部分よりも高さおよび／または幅が大きい、請求項１８に記載の吸引器。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
ユーザ入力デバイスに、少なくとも１つの光源を有する照明デバイスの制御を許可するためのコントローラであり、
第１音センサによって第１時間フレーム内に記録された第１音信号と、前記ユーザ入力デバイスに配置された第２音センサによって第２時間フレーム内に記録された第２音信号とを受信するよう構成されると共に、前記ユーザ入力デバイスから制御コマンドを受信するよう構成される受信機と、
前記第１時間フレームと前記第２時間フレームとが少なくとも部分的に重なり合う前記第１音信号と前記第２音信号との間の類似レベルを決定し、十分な類似レベルが決定された場合には、前記ユーザ入力デバイスに前記照明デバイスの制御を許可するよう構成されるプロセッサとを有するコントローラであって、
前記ユーザ入力デバイスに前記照明デバイスの制御が許可されているときには、前記制御コマンドに基づいて前記照明デバイスを制御するよう構成されるコントローラ。
【請求項２】
前記プロセッサが、更に、前記類似レベルを決定する前に、前記第１音信号からの少なくとも１つの音特性、及び／又は前記第２音信号からの少なくとも１つの音特性にフィルタをかけるよう構成される請求項１に記載のコントローラ。
【請求項３】
前記コントローラが、前記第１音センサ及び／又は前記第２音センサに要求信号を送信するよう構成される送信機を更に有し、前記要求信号が、前記音センサに、前記第１音信号及び前記第２音信号を前記コントローラに送信するよう要求する請求項１乃至２のいずれか一項に記載のコントローラ。
【請求項４】
前記受信機が、更に、前記ユーザ入力デバイスから、前記照明デバイスとの接続のための接続要求を受信するよう構成され、前記送信機が、前記接続要求に基づいて前記要求信号を送信するよう構成される請求項３に記載のコントローラ。
【請求項５】
前記コントローラが、更に、どの１つ以上の照明デバイスの制御が許可されているのかを前記ユーザ入力デバイスに伝えるよう構成される請求項１乃至４のいずれか一項に記載のコントローラ。
【請求項６】
ユーザ入力デバイスに、少なくとも１つの光源を有する照明デバイスの制御を許可するためのシステムであり、
第１音センサと、
前記照明デバイスと、
前記第１音センサによって第１時間フレーム内に記録された第１音信号と、前記ユーザ入力デバイスに配置された第２音センサによって第２時間フレーム内に記録された第２音信号とを受信するよう構成されると共に、前記ユーザ入力デバイスから制御コマンドを受信するよう構成される受信機、及び前記第１時間フレームと前記第２時間フレームとが少なくとも部分的に重なり合う前記第１音信号と前記第２音信号との間の類似レベルを決定し、十分な類似レベルが決定された場合には、前記ユーザ入力デバイスに前記照明デバイスの制御を許可するよう構成されるプロセッサを含むコントローラとを有するシステムであって、
前記コントローラが、前記ユーザ入力デバイスに前記照明デバイスの制御が許可されているときには、前記制御コマンドに基づいて前記照明デバイスを制御するよう構成されるシステム。
【請求項７】
前記システムが、第３音信号を生成するよう構成されるスピーカを更に有し、前記プロセッサが、更に、前記第３音信号と、前記第１音信号及び／又は前記第２音信号との間の類似レベルを決定し、十分な類似レベルが決定された場合には、前記ユーザ入力デバイスに前記照明デバイスの制御を許可するよう構成される請求項６に記載のシステム。
【請求項８】
前記コントローラが、前記第１音センサを有する請求項６又は７に記載のシステム。
【請求項９】
前記コントローラが、前記ユーザ入力デバイスに含まれる請求項６又は７に記載のシステム。
【請求項１０】
前記コントローラが、前記照明デバイスに含まれる請求項６乃至８のいずれか一項に記載のシステム。
【請求項１１】
ユーザ入力デバイスに照明デバイスの制御を許可する方法であって、
第１音センサによって第１時間フレーム内に記録された第１音信号を受信するステップと、
前記ユーザ入力デバイスに配置された第２音センサによって第２時間フレーム内に記録された第２音信号を受信するステップと、
前記第１時間フレームと前記第２時間フレームとが少なくとも部分的に重なり合う前記第１音信号と前記第２音信号との間の類似レベルを決定するステップと、十分な類似レベルが決定された場合には、前記ユーザ入力デバイスに前記照明デバイスの制御を許可するステップと、
前記ユーザ入力デバイスから制御コマンドを受信するステップと、
前記ユーザ入力デバイスに前記照明デバイスの制御が許可されているときには、前記制御コマンドに基づいて前記照明デバイスを制御するステップとを有する方法。
【請求項１２】
前記第１音信号及び前記第２音信号が、それらの各々の音センサの位置において記録された背景音を有する請求項１１に記載の方法。
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
金属空気電池であって、
金属、例えばリチウムを含むアノードと、
少なくとも１つの遷移金属ジカルコゲナイドを含むカソードと、
前記カソードの前記遷移金属ジカルコゲナイド、及び任意に前記アノードの前記金属と接触している電解質と、を含み、
前記電解質が、少なくとも５０重量％のイオン液体を含み、
各遷移金属ジカルコゲナイドが、ＴｉＸ２、ＶＸ２、ＣｒＸ２、ＺｒＸ２、ＮｂＸ２、ＭｏＸ２、ＨｆＸ２、ＷＸ２、ＴａＸ２、ＴｃＸ２、またはＲｅＸ２であり、式中、各Ｘが独立して、Ｓ、Ｓｅ、もしくはＴｅ、またはそれらの組み合わせであり、
前記遷移金属ジカルコゲナイドを含有するカソードの材料が、少なくとも１つの遷移金属ジカルコゲナイドを少なくとも２０重量％含む、金属空気電池。
【請求項２】
前記遷移金属ジカルコゲナイドを含有するカソードの前記材料が、少なくとも５０重量％の遷移金属ジカルコゲナイドを含む、請求項１に記載の金属空気電池。
【請求項３】
前記カソードの前記少なくとも１つの遷移金属ジカルコゲナイドが、気相中の酸素と接触している導電性の多孔質部材上に配置される、請求項１または２に記載の金属空気電池。
【請求項４】
各遷移金属ジカルコゲナイドが、ＴｉＳ２、ＭｏＳ２、またはＷＳ２、例えばＭｏＳ２である、請求項１〜３のいずれか１項に記載の金属空気電池。
【請求項５】
各遷移金属ジカルコゲナイドが、ＭｏＳ２である、請求項１〜３のいずれか１項に記載の金属空気電池。
【請求項６】
前記遷移金属ジカルコゲナイドが、（１００）及び（０１０）結晶面に沿って終結する結晶形態で提供される、請求項１〜５のいずれか１項に記載の金属空気電池。
【請求項７】
各遷移金属ジカルコゲナイドが、ナノ粒子形態であり、例えば約１ｎｍ〜１０００ｎｍの平均サイズを有する、請求項１〜６のいずれか１項に記載の金属空気電池。
【請求項８】
各遷移金属ジカルコゲナイドが、ナノフレーク形態であり、例えば約１ｎｍ〜４００ｎｍの平均サイズを有する、請求項１〜７のいずれか１項に記載の金属空気電池。
【請求項９】
前記遷移金属ジカルコゲナイドナノフレークが、約１ｎｍ〜約１００ｎｍの範囲の平均厚さ、主面に沿う約５０ｎｍ〜約１０μｍの平均寸法、及び少なくとも約５：１のアスペクト比を有する、請求項８に記載の金属空気電池。
【請求項１０】
各遷移金属ジカルコゲナイドが、ナノシートまたはナノリボン形態であり、約１ｎｍ〜４００ｎｍの平均サイズを有する、請求項１〜６のいずれか１項に記載の金属空気電池。
【請求項１１】
前記イオン液体が、イミダゾリウム、ピリジニウム、ピロリジニウム、ホスホニウム、アンモニウム、コリン、スルホニウム、プロリネート、またはメチオニナートカチオンとアニオンとを含む、請求項１〜１０のいずれか１項に記載の金属空気電池。
【請求項１２】
前記カチオンが、イミダゾリウムカチオンであり、
前記イミダゾリウムカチオンが、式：
【化１】
2018508094.tif 000001
を有し、式中、Ｒ１、Ｒ２、及びＲ３が独立して、水素、直鎖脂肪族Ｃ１〜Ｃ６基、分岐脂肪族Ｃ１〜Ｃ６基、及び環式脂肪族Ｃ１〜Ｃ６基からなる群から選択され、例えばＲ２が水素であり、Ｒ１及びＲ３が独立して、直鎖または分岐鎖Ｃ１〜Ｃ４アルキルから選択される、請求項１１に記載の金属空気電池。
【請求項１３】
前記アニオンが、Ｃ１〜Ｃ６アルキルサルフェート、トシレート、メタンスルホナート、ビス（トリフルオロメチルスルホニル）イミド、ヘキサフルオロホスファート、テトラフルオロボラート、トリフレート、ハロゲン化物、カルバマート、またはスルファマートである、請求項１〜１２のいずれか１項に記載の金属空気電池。
【請求項１４】
前記電解質が、少なくとも９０重量％の前記イオン液体を含む、請求項１〜１３のいずれか１項に記載の金属空気電池。
【請求項１５】
前記電解質が、水または非イオン液体有機溶媒を実質的に含まない、請求項１〜１４のいずれか１項に記載の金属空気電池。
【請求項１６】
電位の発生方法であって、
請求項１〜１５のいずれかに記載の金属空気電池を提供することと、
酸素を前記カソードと接触させることと、
前記アノードの前記金属を酸化させて金属イオンにすることと、
前記遷移金属ジカルコゲナイドの表面で前記酸素を還元させ、前記金属イオンとの１つ以上の金属酸化物を形成することと、を含み、
それにより、前記アノードと前記カソードとの間に前記電位を発生させる、方法。
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
ケアのイベントをグループ化することによりケアのエピソードを生成及び編集することを容易化するシステムであって、
患者について確立されたケアのエピソードを保存するケアのエピソードのデータベース
を有し、前記システムは更に、
１つ以上の医療データシステムから医療イベントを収集するデータ取得モジュールと、
前記１つ以上の医療データシステム内に含まれる文章医療レポートから患者データ及び句を抽出する文章レポート抽出モジュールと、
前記確立されたケアのエピソードをユーザに表示するケアのエピソード可視化モジュールと、
前記ケアのエピソード可視化モジュールにおいて、ユーザがケアのエピソードを生成、拡張及び修正することを可能とする、ケアのエピソード構築ユーザインタフェースと、
を実行するよう構成されたプロセッサ
を有するシステム。
【請求項２】
ケアのエピソードを自動的に生成し、未だ関連付けされていない医療イベントにより、確立されたケアのエピソードを拡張するようユーザに提案を提示する、グループ化モジュールを更に有する、請求項１に記載のシステム。
【請求項３】
前記グループ化モジュールは更に、ユーザが最後にアプリケーションを開いてから生成されたそれぞれの新たな医療イベントについて、合致するケアのエピソードのリストを提示するよう構成された、請求項２に記載のシステム。
【請求項４】
前記プロセッサは更に、前記合致するエピソードの１つのユーザ選択を記述する入力を受信するよう構成された、請求項３に記載のシステム。
【請求項５】
前記プロセッサは更に、前記合致の信頼度が所定の閾値よりも低いか否かを示す入力を受信するよう構成された、請求項３に記載のシステム。
【請求項６】
前記グループ化モジュールは、新たな医療イベントを既存のケアのエピソードに自動的に割り当てる、請求項３に記載のシステム。
【請求項７】
新たなイベントが検出されると、前記グループ化モジュールは自動的に、アクティブなケアのエピソードをブラウズし、潜在的な類似性を検出する、請求項１乃至６のいずれか一項に記載のシステム。
【請求項８】
前記ケアのエピソード可視化モジュールは、所与の患者について保持されたケアのエピソードを表示する、請求項１乃至７のいずれか一項に記載のシステム。
【請求項９】
前記ケアのエピソード可視化モジュールは、ｘ軸が時間を表し、個別の医療イベントがアイコンによって示された、水平バー要素として、各ケアのエピソードを提示する、請求項８に記載のシステム。
【請求項１０】
前記ケアのエピソード可視化モジュールは、或るエピソードが、別の既存のケアのエピソードの臨床的な結果であることを視覚的に示すために、分岐するバーとしてケアのエピソードを表現する、請求項８に記載のシステム。
【請求項１１】
前記ケアのエピソード可視化モジュールは、合体したケアのエピソードが以降は単一のケアのエピソードとして表現されるように、合体するバーとしてケアのエピソードを表現する、請求項８に記載のシステム。
【請求項１２】
抽出されたデータを分類すること、及び患者履歴の高レベルの概観を可視化することにより、ケアのエピソードを生成及び編集することを容易化するシステムであって、
前記システムは、患者について確立されたケアのエピソードを保存するケアのエピソードのデータベースを有し、前記システムは更に、
医療文章文書から文節、段落及び文章を解析して抽出する文書解析モジュールと、
句を検出し前記句を外部のオントロジーにマッピングする概念抽出モジュールと、
コンテキスト情報に基づいて抽出された句の状態を決定する文章コンテキストモジュールと、
１つ以上の抽出された概念を選択し、前記概念を１つ以上の予め選択されたカテゴリにマッピングする分類モジュールと、
１つ以上の医療文章文書から計算された分類情報を可視化し、ユーザにより確立されたケアのエピソードを表示する、情報可視化アプリケーションの一部である可視化モジュールと、
を実行するよう構成されたプロセッサを有し、前記システムは更に、抽出された分類情報を用いてユーザが前記可視化モジュールにおいてケアのエピソードを生成、拡張及び変更することを可能とするケアのエピソード構築ユーザインタフェースを有するシステム。
【請求項１３】
前記分類モジュールは、概念の句を受信し、前記概念の句を１つ以上の所定の分類に関連付け、前記概念の句を１つ以上の所定のカテゴリにマッピングする、請求項１２に記載のシステム。
【請求項１４】
前記分類モジュールは、前記所定のカテゴリのそれぞれをモデル化する概念の句のリストを保持し、概念のカテゴリのリストのいずれかにおいて前記概念の句を識別すると、前記概念の句が当該カテゴリに関連付けられる、請求項１３に記載のシステム。
【請求項１５】
前記分類モジュールは、カテゴリ毎に代表的な概念のリストを保持し、オントロジーの関係を通して、前記概念の句と前記代表的な概念のリストとの間の意味的な関連を確立する、請求項１３に記載のシステム。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
伝統的な漢方薬に存在する活性成分を同定する方法であって、
患者の状態、診断及び処置を含む患者データの記録の実施をウェブサイトを通じてプロバイダーに可能にするためにウェブサイトをセットアップする工程を含み、ここで該プロバイダーは該患者のデータをダウンロードすることができ；
有効な薬草の組み合わせ見出し、そして意味のない薬草を排除するために、ANOVA、ANCOVA、ロジスティック回帰、時系列、R-スクエアから選ばれる手段によって、該データの統計分析を実行し；
当該組成物内の化合物を合成若しくは分離することで、これら薬草の組成を分析し；
活性成分を決定するために、内部及び外部の両方のテストを行い、そして、純粋な有効化合物で若しくはその薬草との組み合わせで患者を処置し；
規制当局の認可若しくは認可なしに、医学的状態の患者への有効な化合物が同定される、方法。
【請求項２】
該ウェブサイトは、全ての医学的実務家に、実務情報を入力すること及び該ウェブサイトからダウンロードされた該データをもとに統計分析行うことを許容するようにセットアップされ、そして、該実務家は、繰り返し、診断及び処置の継続的改良をおこなうことが可能であり、そしてどの薬草が患者に有効な効果をもち安全か及びどの薬草が患者に安全だが効果がないかを決定することが可能である、請求項１に記載の方法。
【請求項３】
さらに、化学的分析装置で患者の血液検体を分析し、そして、コンピュータプログラムを経て、肯定的な結果をもつ、これら患者の共通の組成物をみいだすことを含む、請求項１に記載の方法。
【請求項４】
さらに、ANOVA、ANCOVA、ロジスティック回帰、時系列、R-スクエアから選ばれる一つを含む、統計解析法により該化合物の重要でない組成を分析し、排除することを含む、請求項１に記載の方法。
【請求項５】
さらに、これら有効でない患者の血液検体を分析し、これら共通の組成をもつ者を見出すことを含む、請求項１の方法。
【請求項６】
さらに、これら共通の化合物が、肯定的および否定的結果を有する患者に存在する様々な化合物間の差異によって、内部及び外部の両方のテストで効果があるどうかを決定することを含む、請求項１に記載の方法。
【請求項７】
さらに、患者の生物学的特性に応じて精製された化合物を用いて内部および外部テストを行うことを含む、請求項１に記載の方法。
【請求項８】
さらに、その異なる生物学的特性に従って見出された活性化合物で患者を処置することを含む、請求項１に記載の方法。
【請求項９】
さらに、該精製された活性化合物のみを使用することによって、またはオリジナルの薬草と精製した物質との組み合わせで患者を処置することを含む、請求項１の方法。
【請求項１０】
有効な化合物は、規制当局によって承認された後、又は承認なしで特許物質として、又はトレードシークレットとして、関連医学的状態の患者を処置するために使用されうる、請求項１に記載の方法。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
方法であって、
各々或る次元に沿った所定の変動を含む複数の特徴を有した所定の構造からなる構造化光パターンを体積内に投影することであって、前記構造化光パターンの前記所定の構造が前記次元に延びるストライプを含み、前記所定の変動が追加の次元における強度の周期を含み、前記周期内におけるストライプ群の各ストライプがそれぞれの強度で投影され、前記所定の構造がさらに前記各ストライプに沿った強度変動を含むとともに異なるストライプのピーク強度が互いに異なる位置に存在し、前記構造化光パターンがさらに、追加の次元にわたる追加の変動を含み、前記追加の変動も前記次元に沿って変化する、前記構造化光パターンを体積内に投影すること、
前記体積内の１つ以上の物体で反射された光を検出することであって、検出光が、前記構造化光パターンの前記所定の構造の前記複数の特徴のうち１つ以上の特徴を含む、前記反射された光を検出すること、
前記検出光における前記１つ以上の特徴を前記所定の構造と相関付けること、
前記異なるストライプのピーク強度の位置に基づいて物体の深さ情報を決定すること、
を備える方法。
【請求項２】
前記検出光における前記１つ以上の特徴の各々に関連付けられた物体の深さ情報を前記相関付けに基づいて決定することは、
前記検出光における少なくとも１つの前記特徴を前記体積内に含まれる物体を含む検出画像内の対応する位置と比較することにより、前記検出光における前記１つ以上の特徴に関連付けられた物体の深さ情報を前記相関付けに基づいて取得することを含む、請求項１に記載の方法。
【請求項３】
前記物体の深さ情報は、前記物体の３次元深さ情報を含む、請求項１に記載の方法。
【請求項４】
前記構造化光パターンの前記所定の構造の前記１つ以上の特徴は直交に指標化される、請求項１に記載の方法。
【請求項５】
前記構造化光パターンの前記所定の構造の前記１つ以上の特徴は強度レベルを含む、請求項１に記載の方法。
【請求項６】
前記変動または前記追加の変動が周期的な強度変動である、請求項１に記載の方法。
【請求項７】
前記周期的な強度変動が、２値変動、３段階変動、４段階変動、５段階変動、６段階変動、７段階変動、および８段階変動からなる群から選択される、請求項６に記載の方法。
【請求項８】
前記変動は、前記次元に沿って変化する均一ピーク強度の分布である、請求項１に記載の方法。
【請求項９】
前記検出光における前記１つ以上の特徴の各々に関連付けられた物体の深さ情報を前記相関付けに基づいて決定することは、
前記検出光における特徴と関連付けられた物体の深さ情報を、前記特徴の強度の値と、前記特徴内における前記追加の変動のピーク強度との比に基づいて計算することを含む、請求項１に記載の方法。
【請求項１０】
前記検出光における前記１つ以上の特徴の各々に関連付けられた物体の深さ情報を前記相関付けに基づいて決定することは、
前記強度の周期に対して前記ストライプ群の相対的指標を決定すること、
前記相対的指標に基づいて前記物体の深さ情報を決定すること、
を含む、請求項１に記載の方法。
【請求項１１】
前記検出光における前記１つ以上の特徴の各々に関連付けられた物体の深さ情報を前記相関付けに基づいて決定することは、
前記強度の周期に対して前記ストライプ群の相対的指標を決定すること、
前記相対的指標と、異なるストライプのピーク強度の位置とに基づいて前記物体の深さ情報を決定すること、
を含む、請求項１に記載の方法。
【請求項１２】
方法であって、
体積内に光パターンを投影することであって、前記光パターンは、或る次元の周期的な強度変動と、追加の次元に沿った均一ピーク強度の分布とを含み、前記追加の次元に沿った前記分布も前記次元によって変化する、前記光パターンを投影すること、
前記光パターンを反射する前記体積内の位置を見出すこと、
前記周期的な強度変動に従った前記位置における強度と、前記均一ピーク強度の分布に従った前記位置における強度との比を決定すること、
決定された前記比を用いて前記位置における深さを決定すること、
を備える方法。
【請求項１３】
前記光パターンは前記追加の次元に延びるストライプを含む、請求項１２に記載の方法。
【請求項１４】
前記周期的な強度変動は、ストライプ群の各ストライプを異なる強度で投影すること、および少なくとも追加のストライプ群について異なる強度を繰り返すことを含む、請求項１３に記載の方法。
【請求項１５】
前記追加の次元に沿った前記均一ピーク強度の分布は、ピーク強度を有するストライプに沿ったガウス強度の変動を含む、請求項１４に記載の方法。
【請求項１６】
前記決定された比を用いて前記位置における深さを決定することは、
前記周期的な強度変動に対する前記ストライプ群の相対的指標を、物体セグメント化を用いて決定すること、
１つ以上のストライプにおける前記相対的指標およびピーク強度の位置とともに前記決定された比に基づいて、前記位置における深さを決定すること、
を含む、請求項１４に記載の方法。
【請求項１７】
装置であって、
或る方向に強度を変化させて変動強度の特徴を有する光ビームを生成するように構成された光源であって、前記光ビームは或る次元に延びるストライプを含み、前記ストライプが前記光ビームの方向に直交する追加の次元における強度の周期を有する、前記光源と、
前記光ビームの方向と直交する方向に強度特性を適用して、或る次元における周期的な強度変動を有するとともに、前記光ビームの方向と直交する前記追加の次元に沿った均一ピーク強度の分布を有する光パターンを生成するように構成された光学素子であって、前記追加の次元に沿った前記分布も前記次元で変化する、前記光学素子と、
を備えた装置。
【請求項１８】
前記光学素子によって適用された前記強度特性を有する前記光ビームに追加の強度特性を適用するように構成された追加の光学素子をさらに備え、前記追加の強度特性は、グリッド配列で適用され、前記追加の光学素子は、前記追加の強度特性が各特徴における異なる位置に生じるように前記方向に対してオフセットされている、請求項１７に記載の装置。
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
潤滑組成物中の鉄イオン、特に第二鉄イオン及び第一鉄イオンを測定する方法であって、
a）第１の容器に分析すべき潤滑組成物の試料を入れ、
ｂ）分析すべき潤滑組成物の試料を含む前記第１の容器をマグネット上に置き、
ｃ）第２の容器に、
・油相から水相への第二鉄イオン及び第一鉄イオンの少なくとも一種の抽出剤を含む水性の第１の反応性組成物（ＣＲ１)、
・第二鉄イオン（Ｆｅ３+)から第一鉄イオン（Ｆｅ２+)への少なくとも一種の還元剤を含む水性の第２の反応性組成物（ＣＲ２)、
・少なくとも一種のエマルジョン不安定化剤を含む第３の反応性組成物（ＣＲ３)、及び
・第一鉄イオンと錯体を形成すると色が変化することを特徴とする、第一鉄イオンの錯化剤を含む水溶液状の第４の反応性組成物（ＣＲ４)
を添加及び混合し、
ｄ）任意に、工程ｃ）で得られた混合物の吸収を光化学的に測定し、
ｅ）マグネット上の位置に置かれた第１の容器に含まれる潤滑組成物の数滴を採取して、その数滴を工程ｃ）で得られた第１、第２、第３および第４の反応性組成物の混合物を含む第２の容器に添加し、
ｆ）工程ｅ）で得られた混合物を撹拌し、
ｇ）工程ｆ）で得られた混合物の吸収の光化学的測定を実施し、
ｈ）工程ｄ）及びｇ）で得られた測定値から潤滑組成物中の第一鉄イオンの量を測定する方法。
【請求項２】
前記抽出剤が、第二鉄イオン及び第一鉄イオンを溶解しかつ前記潤滑組成物に非混和性である剤から選ばれる、請求項１に記載の方法。
【請求項３】
前記抽出剤が、硫酸、硝酸、塩酸、リン酸の単独又は混合物から選ばれる、請求項１又は２に記載の方法。
【請求項４】
前記抽出剤が硫酸である、請求項３に記載の方法。
【請求項５】
第二鉄イオンから第一鉄イオンへの前記還元剤が、ヒドロキノン、ヒドロキシアミン塩酸、ヒドラジン、ジチオナイト（亜ジチオン酸塩）の単独又は混合物から選ばれる、請求項１〜４のいずれか１項に記載の方法。
【請求項６】
第二鉄イオンから第一鉄イオンへの前記還元剤が、ヒドロキシアミン塩酸である、請求項５に記載の方法。
【請求項７】
前記エマルジョン不安定化剤が、水に非混和性の第一級又は第二級アルコール（Ｃ４〜Ｃ１０）の単独又は混合物から選ばれる、請求項１〜６のいずれか１項に記載の方法。
【請求項８】
前記エマルジョン不安定化剤が、イソアミルアルコール、オクタン−１−オール、オクタン−２−オール、１−ヘプタノール、２−エチル−ヘキサノール、２−エチル−ブタノールである、請求項７に記載の方法。
【請求項９】
前記錯化剤が、第一鉄イオン錯化剤であって、得られる溶液の光吸収の分光測定法測定により検出可能な色の変化を錯化が引き起こすものから選ばれる、請求項１〜８のいずれか１項に記載の方法。
【請求項１０】
前記錯化剤が、フェロジン、フェレン、フェナントロリン及びその誘導体、ビピリジン、チオグリコール酸、ニトロソ−Ｒ塩（３−ヒドロキシ−４−ニトロソ−２，７−ナフタレンジスルホン酸のナトリウム塩）、フェリシアン化カリウム（ヘキサシアノ鉄酸カリウム（ＩＩＩ）），２，４，６−トリピリジル−ｓ−トリアジン（ＴＰＴＺ）から選ばれる、請求項１〜９のいずれか１項に記載の方法。
【請求項１１】
前記錯化剤がニトロソ−Ｒ塩である、請求項９に記載の方法。
【請求項１２】
前記第１及び第２の反応性組成物が水性反応性組成物ＣＲ１’に含まれる、請求項１〜１１のいずれか１項に記載の方法。
【請求項１３】
請求項１〜１２のいずれか１項に記載の方法を実施するキットであって、
・請求項１〜４のいずれか一項に記載のような、潤滑組成物の油相から水相への第二鉄イオン及び第一鉄イオンの少なくとも一種の抽出剤を含む水性の第１の反応性組成物（ＣＲ１），
・請求項１，５，６のいずれか一項に記載のような、第二鉄イオン（Ｆｅ３+)から第一鉄イオン（Ｆｅ２+)への少なくとも一種の還元剤を含む水性の第２の反応性組成物（ＣＲ２)、
・請求項１，７，８のいずれか一項に記載のような、少なくとも一種のエマルジョン不安定化剤を含む第３の反応性組成物（ＣＲ３)、
・第一鉄イオンと錯体を形成すると色が変化することを特徴とする、請求項１，９〜１１のいずれか一項に記載のような、第一鉄イオンの錯化剤を含む水溶液状の第４の反応性組成物（ＣＲ４)、
・分光光度計、好ましくは電子的分光光度計、
・任意の少なくとも１つの第１の容器、
・少なくとも１つの第２の容器、
・任意の、分析すべき潤滑組成物の試料を採取する少なくとも１つの装置（Ｄ１）、
・第１、第２、第３および第４の反応性組成物のそれぞれを採取する装置（Ｄ２）、
・マグネットを有する支持体、
・工程ｅ）で分析すべき潤滑組成物の数滴を採取する少なくとも１つの装置（Ｄ３）
を含むキット。
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
標的化部分ペプチドエピトープ複合体（ＴＰＥＣ）を含む、癌細胞に対する免疫応答を再標的化するための組成物であって、
ａ．Ｔが、癌細胞を標的化することのできる抗体またはその抗原結合性フラグメントである標的化部分である、
ｂ．Ｌが、Ｔへ結合できる少なくとも１つのリンカーであり、ここで、Ｌは、ペプチド結合、あるいは少なくとも１つのペプチドであり得る、
ｃ．Ｃが、前記癌細胞の外側で前記癌細胞によって発現する酵素によって切断される、またはＴＰＥＣにおける標的化部分と同じである若しくは異なる前記標的化部分によって前記癌細胞へ共存するプロテアーゼによって切断される、少なくとも１つの結合部位である、かつ
ｄ．Ｅが、少なくとも１つのウイルスＴ細胞エピトープである、
ＴＰＥＣを含み、この中で、前記Ｌ部分、Ｃ部分、ならびにＥ部分は、ｎが少なくとも２の整数であり、かつ各Ｃ−Ｅが前記Ｌへ直列に結合したＬ−（Ｃ−Ｅ）ｎのうちの少なくとも１つのパターンにおいて配置される、前記組成物。
【請求項２】
少なくとも１つの切断部位を有する前記標的化部分へ結合した１０個を超える複数のＴ細胞エピトープを含む、請求項１に記載の組成物。
【請求項３】
前記複数のＴ細胞エピトープは、少なくとも１つの束として前記標的化部分へ１つの切断部位によって結合している、請求項１に記載の組成物。
【請求項４】
前記複数のＴ細胞エピトープは、すべてが同一であるというわけではない、請求項１に記載の組成物。
【請求項５】
前記少なくとも１つの切断部位及び前記複数のＴ細胞エピトープは、スルホスクシンイミジル−４−（Ｎ−マレイミドメチル）シクロヘキサン−１−カルボキシラート（スルホ−ＳＭＣＣ）結合、スクシンイミジル−４−（Ｎ−マレイミドメチル）シクロヘキサン−１−カルボキシラート（ＳＭＣＣ）結合、またはマレイミド結合を通じて、前記標的化部分へ結合している、請求項１に記載の組成物。
【請求項６】
少なくとも１つのＴ細胞エピトープは、ＭＨＣクラスＩに制限されたペプチドである、請求項１に記載の組成物。
【請求項７】
少なくとも１つのＴ細胞エピトープは、ＭＨＣクラスＩＩに制限されたペプチドである、請求項１に記載の組成物。
【請求項８】
前記複数のＴ細胞エピトープは、長さ約７〜約１４のアミノ酸である、請求項１に記載の組成物。
【請求項９】
少なくとも約２、３、４、５、６、７、８、９、または１０のＴ細胞エピトープを含む、請求項１に記載の組成物。
【請求項１０】
前記Ｔ細胞エピトープは、ＣＭＶ、インフルエンザ、ＥＢＶ、肝炎、水痘、流行性耳下腺炎、麻疹、風疹、ポリオ、ロタウイルス、ワクシニア、及び黄熱病のＴ細胞エピトープから選択される、請求項１に記載の組成物。
【請求項１１】
前記組成物は、少なくとも２つの異なるウイルス由来のＴ細胞エピトープを含む、請求項１に記載の組成物。
【請求項１２】
前記Ｔ細胞エピトープは、ＨＬＡ−Ａ、ＨＬＡ−Ｂ、ＨＬＡ−Ｃ、ＨＬＡ−Ｅ、ＨＬＡ−Ｆ、ＨＬＡ−Ｇ、ＣＤ１ｄ、及びＭＲ１から選択される、請求項１に記載の組成物。
【請求項１３】
前記Ｔ細胞エピトープは、ＨＬＡ−Ａ＊０１、ＨＬＡ−Ａ＊０２、ＨＬＡ−Ａ＊０３、ＨＬＡ−Ａ＊１１、ＨＬＡ−Ｂ＊４４、ＨＬＡ−Ｂ＊０７、ＨＬＡ−Ｂ＊０８、ＨＬＡ−Ｂ＊１５、ＨＬＡ−Ｂ＊３５、ＨＬＡ−Ｂ＊４０、ＨＬＡ−Ｃ＊０７、ＨＬＡ−Ｃ＊０３、ＨＬＡ−Ｃ＊０５、ＨＬＡ−Ｃ＊０４、ＨＬＡ−Ｃ＊０６、及びＨＬＡ−Ｅ＊０１０１に制限された抗原から選択される、請求項１に記載の組成物。
【請求項１４】
前記組成物は、少なくとも以下のＴ細胞エピトープ、すなわちＨＬＡ−Ａ＊０２、ＨＬＡ−Ａ＊０１、及びＨＬＡ−Ａ＊０３を含む、請求項１に記載の組成物。
【請求項１５】
前記Ｔ細胞エピトープは、配列番号１〜２、５〜７、１５〜５７のうちの少なくとも１つを含む、請求項１に記載の組成物。
【請求項１６】
前記Ｔ細胞エピトープは、少なくとも１つのヒトタンパク質ドメインによって片端または両端において隣接する、請求項１に記載の組成物。
【請求項１７】
前記癌細胞によって発現する酵素は、プロテアーゼである、請求項１に記載の組成物。
【請求項１８】
請求項１に記載の組成物を、癌細胞の存在を特徴とする患者へ投与することを含む、前記患者における疾患の治療方法。
【請求項１９】
請求項１に記載の組成物を、患者へ投与することを含む、癌細胞に対する前記患者の免疫応答の再標的化方法。
【請求項２０】
前記標的化部分は、抗ＣＥＡもしくは抗ＣＥＡＣＡＭ抗体またはその抗原結合性フラグメントである、請求項１に記載の組成物。
【請求項２１】
前記標的化部分は、抗ＣＥＡもしくは抗ＣＥＡＣＡＭ抗体またはその抗原結合性フラグメントである、請求項１８に記載の方法。
【請求項２２】
前記標的化部分は、抗ＣＥＡもしくは抗ＣＥＡＣＡＭ抗体またはその抗原結合性フラグメントである、請求項１９に記載の方法。